(57)【要約】      （修正有）【課題】自分の歯が残っていると総入れ歯に出来ず健康な歯まで抜歯するという従来の総入れ歯の欠点を克服し、健康な歯はそのままに他の部分において総入れ歯と同様な効果を発揮するマウスピース型総入れ歯を提供する。【解決手段】上部マウスピース２と下部マウスピース３から構成されるマウスピース型入れ歯であって、上部マウスピースは、底部に人工歯列を、上部には上側天然歯列又は上側歯茎に係合する溝部５を有し、下部マウスピースは、上部に人工歯列を、下部には下側天然歯列又は下側歯列に係合する溝部を有し、それぞれが天然歯を覆い、天然歯と重畳的に人工歯が配置されることを特徴とする。【選択図】図１
0003205013.tif 000002
【実用新案登録請求の範囲】
【請求項１】
上部マウスピースと下部マウスピースのから構成されるマウスピース型入れ歯であって、
前記上部マウスピースは、底部に人工歯列を、上部には上側天然歯列又は上側歯茎に係合する溝部を有し、
前記下部マウスピースは、上部に人工歯列を、下部には下側天然歯列又は下側歯列に係合する溝部を有し、
それぞれが天然歯を覆い、天然歯と重畳的に人工歯が配置されることを特徴とするマウスピース型入れ歯。
【請求項２】
前記人工歯列は、使用者の天然歯が存在する部分にも配置されることを特徴とする請求項１に記載のマウスピース型入れ歯。
【請求項３】
前記人工歯列の高さは、使用者の歯の高さの半分以下であることを特徴とする請求項１又は請求項２に記載のマウスピース型入れ歯。
【請求項４】
前記マウスピースに開口部が設けられ、使用者の天然歯が前記マウスピースの開口部から突出していることを特徴とする請求項１から請求項３のいずれかに記載のマウスピース型入れ歯。
【考案の詳細な説明】
【技術分野】
【０００１】
本考案は、マウスピース型入れ歯についての技術に関するものである。
【背景技術】
【０００２】
一般的に、歯が、虫歯や歯周病で抜けた場合、入れ歯で代替する。また、高齢になり、自分の歯がすべて抜けてしまった場合には硬質の樹脂に人工歯を埋め込んだ総入れ歯を用いることになる。しかし、自分の歯が数本残っている場合には、一般的な総入れ歯にすることが出来ない。そのため、やむを得ず、健康な自分の歯を抜いて総入れ歯とすることがあり、理不尽な思いをすることもあった。
そこで、自分の歯が残っている場合であっても、総入れ歯と同様の効果が得られる入れ歯が求められていた。
【０００３】
そこで、これらの問題を解決しようと、従来からも種々の技術が提案されてきた。
簡単な構成により、適合加工が容易で、極めて安価なマウスピース（特許文献１参照）が提案され、公知技術となっている。より詳しくは、上顎側歯列に被着される上ピース片２と、上ピース片２に対し上下対面して用いられる下顎側歯列被着用の下ピース片３とからなっている。上ピース片２と下ピース片３のそれぞれの対向面の一方には他方のピース片に向かって突出する複数の突起部６，７が設けられ、他方の対向面には前記の突起部６，７を当接支持する支持面１０が形成されるとともに、上ピース片２の上面に上顎側歯列に被着される上歯列被着溝５が形成され、下ピース片３の下面には下顎側歯列に被着される下歯列被着溝が形成する構造である。
しかしながら、特許文献１の構造は、上下２つのピースからなり、ピースから複数の突起が出る構造であるものの、突起は、人工歯ではなく、使用目的も総入れ歯の形体として用いるものではなく、噛み合わせの矯正のための器具であり、前記問題の解決には至っていない。
【０００４】
また、就寝時等における入れ歯を外した際の骨格の変形や顔のしわ、歯茎の損傷等を予防する入れ歯代替用マウスピース（特許文献２参照）が提案され、公知技術となっている。より詳しくは、入れ歯を外した時に使用するマウスピースであって、略馬蹄形状に成型され、上面あるいは下面あるいは上下両面にそれぞれ上部あるいは下部歯茎の形状に沿って被せて固定する歯茎挿嵌部を形成し、かつ、入れ歯とほぼ同一の高さを設けた構成となっている。
しかしながら、特許文献２の構造は、総入れ歯に関連するマウスピースの構造ではあるが、総入れ歯をはずした際の顎の保持器具である。そのため、この構造では、前記問題の解決には至っていない。
【０００５】
本考案者はそれらの問題を解決しようと、マウスピース型入れ歯によって、自分の歯を残したまま、総入れ歯と同様の効果を得られることに着目し、「マウスピース型入れ歯」の提案に至るものである。
【先行技術文献】
【特許文献】
【０００６】
【特許文献１】特開平１１−１５５８８４
【特許文献２】特開２００５−２７８７３４
【考案の概要】
【考案が解決しようとする課題】
【０００７】
本考案は上記問題点に鑑み、マウスピース型入れ歯の提供を図る。
【課題を解決するための手段】
【０００８】
本考案に係るマウスピース型入れ歯は、上部マウスピースと下部マウスピースのから構成されるマウスピース型入れ歯であって、前記上部マウスピースは、底部に人工歯列を、上部には上側天然歯列又は上側歯茎に係合する溝部を有し、前記下部マウスピースは、上部に人工歯列を、下部には下側天然歯列又は下側歯列に係合する溝部を有し、それぞれが天然歯を覆い、天然歯と重畳的に人工歯が配置されることを手段とする。
【０００９】
また本考案は、前記人工歯列を、使用者の天然歯が存在する部分にも配置する手段を採用することもできる。
【００１０】
また本考案は、前記人工歯列の高さが、使用者の歯の高さの半分以下である手段を採用することもできる。
【００１１】
また本考案は、前記マウスピースに開口部が設けられ、使用者の天然歯が前記マウスピースの開口部から突出している手段を採用することもできる。
【考案の効果】
【００１２】
本考案に係るマウスピース型入れ歯によれば、自分の歯が残っていると総入れ歯に出来ず健康な歯まで抜歯するという従来の総入れ歯の欠点を克服し、健康な歯はそのままに他の部分において総入れ歯と同様な効果を発揮する。
【図面の簡単な説明】
【００１３】
【図１】本考案に係るマウスピース型入れ歯の斜視図である。
【図２】本考案に係るマウスピース型入れ歯の断面図である。
【図３】本考案に係るマウスピース型入れ歯の断面図である。
【図４】本考案に係るマウスピース型入れ歯の他の実施例の図である。
【考案を実施するための形態】
【００１４】
本考案であるマウスピース型入れ歯は、自分の歯を残したまま、総入れ歯と同様の効果を得られることを最大の特徴とする。以下、実施例を図面に基づいて説明する。
なお、本実施例で示されるマウスピース型入れ歯の全体形状及び各部の形状は、下記に述べる実施例に限定されるものではなく、本考案の技術的思想の範囲内、即ち、同一の作用効果を発揮できる形状及び寸法の範囲内で変更することができるものである。
（実施例１）  
【００１５】
図１から図２にしたがって、本考案の構造を説明する。
図１は、本考案の斜視図である。図２は、本考案の断面図である。図２（ａ）は、本考案を装着した際の正面からの断面図を示し、（ｂ）は側面からの断面図を示す。
マウスピース型入れ歯１は、上部マウスピース２と下部マウスピース３から構成される。上部マウスピース２、下部マウスピース３の材質は、通常のマウスピースと同様にレジン等の硬質樹脂から柔軟性のあるポリエチレン樹脂、シリコンまで考えられる。硬質樹脂であれば、穴が開く、破損する等が少ないというメリットがあるが、装着時の違和感が強いというデメリットがある。軟質系は、逆に装着時の違和感は少ないが、破損、劣化しやすい面を持つ。また、装着を長時間行うか、短時間のみかによっても、どちらを選択するかで変わる。いずれにせよ、長時間、口腔に入れても安全上問題の無い材質である必要がある。
色は、透明、半透明、白色、肌色等使用者の好みで選択可能である。
【００１６】
上部マウスピース２は、本考案の上部分の部材である。全体が馬蹄形であり、人工歯保持部４と人工歯６からなる。人工歯保持部４の上側の縁部分に沿って、歯列被着溝５が設けられている。歯列被着溝５は使用者の天然歯８または歯茎９の形状に合わせたものである。歯列被着溝５は、使用者の歯または歯茎を両側から包む形状である。
【００１７】
人工歯保持部４の下部には、人工歯６の列が、天然歯８と同様の形状、同様の列で配置される。人工歯６の材質は、セラミック等の硬質で極めて劣化の少ない材質である。人工歯６と人工歯保持部４の境界部分は、概ね、天然歯８と歯茎９の境界の形状を模したものである。人工歯保持部４と人工歯６の固定は、人工歯６の底部７が人工歯保持部４と固定されることで行う。底部７の凸凹構造が人工歯保持部４と密着し、人工歯保持部４と人工歯６を固着している（図２（ａ））。
【００１８】
下部マウスピース３は、本考案の下部分の部材である。形状、構造はほぼ上部マウスピース２と同様である。全体が馬蹄形であり、人工歯保持部４と人工歯６からなる。人工歯保持部４の下側の縁部分に沿って、歯列被着溝５が設けられている。歯列被着溝５は使用者の歯または歯茎の形状に合わせたものである。歯列被着溝５は、使用者の歯または歯茎を両側から包む形状である。人工歯保持部４の上部には、人工歯６の列が、天然の歯と同様の形状、同様の列で配置される。人工歯６と人工歯保持部４の境界部分は、概ね、天然の歯と歯茎の境界の形状を模したものとする。人工歯保持部４と人工歯６の固定は、人工歯６の底部７が人工歯保持部４と固定されることで行う。底部７の凸凹構造が人工歯保持部４と密着し、人工歯保持部４と人工歯６を固着している。
【００１９】
次に、マウスピース型入れ歯１を装着した際の構造を説明する。説明では、使用者の歯が右下と左上に残っている状態の断面図で説明する（図２（ａ））。使用者は、上部マウスピース２を上顎１０に装着し、下部マウスピース３を下顎１１に装着する。歯列被着溝５は、使用者の歯または歯茎から型をとっているので、歯のある部分も、歯の無い部分も同様に歯列被着溝５と使用者の歯または歯茎は密着する。
天然歯のある部分では、使用者の上顎１０と歯茎９と天然歯８が人工歯保持部４で覆われる。天然歯の無い部分では、使用者の上顎１０と歯茎９が人工歯保持部４で覆われる。そして、天然歯８または歯茎９と重なる位置に人工歯６が配置される形となる。
【００２０】
図２（ｂ）にて側面からの断面図にて装着状態を説明する。使用者の口腔部の断面図である。上顎１０と上部マウスピース２の関係を示す。上顎１０と上顎１０から突出した天然歯８があり、それを覆う形で人工歯保持部４が配置される。図は、使用者の中心を通る断面図のため、人工歯６及び天然歯８は前歯のみ描いてある。天然歯８が人工歯保持部４で覆われ、人工歯保持部４の下に人工歯６が配置されている。下顎１１と下部マウスピース３の関係も同様である。
使用者は、人工歯６を用いて、食物等を噛むことが出来る。マウスピース型入れ歯１を用いない場合に比べて、口を若干開け気味にしないと噛むことが出来ないが、使用者の歯を抜くことなく、総入れ歯と同等の形態で食事を取ることが出来る。
【００２１】
このように、本考案によれば、使用者の歯が残っている状態であっても、総入れ歯の形態を使用することが出来る。使用者の天然の歯のみでは、食物を噛む動作が困難であり、さりとて、天然の歯をすべて抜いて総入れ歯にすることに難色を示す場合であっても、マウスピース型入れ歯１を用いることで、通常の総入れ歯と同様に食物を噛む動作を行うことが出来、好適である。
（実施例２）  
【００２２】
他の実施例について図３を用いて説明する。図３（ａ）は、実施例１の場合の噛み合わせ状態説明断面図である。図３（ｂ）は実施例２の場合の噛み合わせ状態説明断面図である。図３（ｃ）は前歯の噛み合わせ状態説明断面図である。各説明の内、重複する内容部分については省略する。
【００２３】
実施例１では、人工歯６の形状として、天然歯８の形状を模したものとしたが、噛み合わせ部分に特化し、人工歯６の高さを低くしてもよい（図３（ｂ））。そうすることで、天然の歯の噛み合わせ部分の位置と、人工歯６の噛み合わせ部分の位置の差が狭まり、より自然な噛み合わせを行うことが出来る。
【００２４】
人工歯保持部４と人工歯６の関係を見ると、人工歯６の高さは、天然歯８の高さの半分以下であり、可能であればさらに低くても良い。人工歯６の底部７は、凸凹があり、人工歯保持部４と固着している。なお、図３（ａ）と図３（ｂ）は、奥歯を例示したものであり、奥歯の役割として、食べ物を噛み砕いて粉砕するという効果を発揮することができる事を示し、また、図３（ｃ）は、前歯の噛み合わせ状態を説明するもので、前歯の役割として、食べ物を噛み切るという効果を発揮するものであることをそれぞれ示している。特に従来の入れ歯では、前歯による噛み切るという動作が困難であり、インプラント等を利用した入れ歯でないと食べ物を思ったとおりに噛み切ることが出来ず、高価な治療費等を要しており、これを本願考案は改善し得る構成を採用していることを示している。
（実施例３）  
【００２５】
他の実施例について図４を用いて説明する。図４は、実施例３の斜視図である。実施例１と同様の部分は省略する。
実施例１、２では、すべて、人工歯６を用いる構造であったが、部分的に天然歯８を用いても良い。人工歯保持部４について、使用者の天然歯８がある部分に開口部４０１を開け、天然歯８が開口部４０１を通って、人工歯６側に突出させる。また、天然歯８の噛み合わせ部分の高さに合うように、人工歯６の噛み合わせ部分の高さも調整する。そうすることで、総入れ歯の形態をとりつつ、一部を自分の歯に用いることが出来、食事を取る際の満足度をさらにあげることが出来る。
【産業上の利用可能性】
【００２６】
本考案に係るマウスピース型入れ歯は、自分の歯は残っている場合の総入れ歯についての産業上の利用可能性は大きいと解する。
【符号の説明】
【００２７】
１  マウスピース型入れ歯
２  上部マウスピース
３  下部マウスピース
４  人工歯保持部
５  歯列被着溝
６  人工歯
７  底部
８  天然歯
９  歯茎
１０  上顎
１１  下顎
１２  鼻腔
４０１  開口部
【図１】
0003205013.tif 000003
【図２】
0003205013.tif 000004
【図３】
0003205013.tif 000005
【図４】
0003205013.tif 000006